(57)【特許請求の範囲】
【請求項１】
表面を有する印刷媒体であって、前記表面の上に印刷された符号化データタグを有し、各符号化データタグは、前記表面の領域内の位置、及び、前記領域の一部の機能的属性を符号化し、前記機能的属性が、前記領域内の部分の位置とは独立のものである、前記印刷媒体とともに使用するための検出装置において、
前記符号化データタグを検出するための手段と、
前記符号化データタグを復号化し、前記機能的属性に反応するための手段と
を備えた前記検出装置。
【請求項２】
前記検出装置が前記機能的属性を検出すると、ユーザに少なくとも１つの指示を与えるための指示手段をさらに備えたことを特徴とする請求項１に記載の検出装置。
【請求項３】
前記検出装置が、さらに、前記検出された前記符号化データタグを基にしたデータをコンピュータシステムに送信することを特徴とする請求項１に記載の検出装置。
【請求項４】
表面を有する印刷媒体であって、前記表面の上に印刷された符号化データタグを有し、各符号化データタグは、前記表面の領域内の位置、及び、前記領域の一部の機能的属性を符号化し、前記機能的属性が、前記領域内の部分の位置とは独立のものである、前記印刷媒体とともに使用するための検出装置であって、前記符号化データタグを検出するための手段と、前記符号化データタグを復号化する手段と、検出された前記符号化データタグを基にしたデータを送信する手段と、を備えた前記検出装置と、
前記検出装置から送信された、検出された前記符号化データタグを基にしたデータを受信するための手段と、前記機能的属性に関連する機能を実行するための手段とを有するコンピュータシステムと
を備えたシステム。
【請求項５】
前記コンピュータシステムは、前記機能的属性が、前記符号化データタグの領域内の位置から決定される予測される属性と一致することを検証することを特徴とする請求項４に記載のシステム。
【発明の詳細な説明】
【０００１】
（技術分野）
本発明は、一般的に、コンピュータシステムと相互作用するための方法、システムおよび装置に関し、さらに詳しく言えば、このような相互作用を支援する符号化された表面に関する。
【０００２】
（同時係属出願）
本発明の出願人または譲受人により、本発明と同日に出願された以下の同時係属出願に、本発明に関連するさまざまな方法、システムおよび機器が開示されている。
ＰＣＴ／ＡＵ００／０１４４２、ＰＣＴ／ＡＵ００／０１４４４、ＰＣＴ／ＡＵ００／０１４４６、ＰＣＴ／ＡＵ００／０１４４５、ＰＣＴ／ＡＵ００／０１４５０、ＰＣＴ／ＡＵ００／０１４５３、ＰＣＴ／ＡＵ００／０１４４８、ＰＣＴ／ＡＵ００／０１４４７、ＰＣＴ／ＡＵ００／０１４５９、ＰＣＴ／ＡＵ００／０１４５１、ＰＣＴ／ＡＵ００／０１４５４、ＰＣＴ／ＡＵ００／０１４５２、ＰＣＴ／ＡＵ００／０１４４３、ＰＣＴ／ＡＵ００／０１４５５、ＰＣＴ／ＡＵ００／０１４５６、ＰＣＴ／ＡＵ００／０１４５７、ＰＣＴ／ＡＵ００／０１４５８、ＰＣＴ／ＡＵ００／０１４４９。
これらの同時係属出願の開示を、参照により本願明細書に引用したものとする。
【０００３】
本発明の出願人または譲受人により、２０００年１０月２０日に出願された以下の同時係属出願に、本発明に関連するさまざまな方法、システムおよび機器が開示されている。
ＰＣＴ／ＡＵ００／０１２７３、ＰＣＴ／ＡＵ００／０１２７９、ＰＣＴ／ＡＵ００／０１２８８、ＰＣＴ／ＡＵ００／０１２８２、ＰＣＴ／ＡＵ００／０１２７６、ＰＣＴ／ＡＵ００／０１２８０、ＰＣＴ／ＡＵ００／０１２７４、ＰＣＴ／ＡＵ００／０１２８９、ＰＣＴ／ＡＵ００／０１２７５、ＰＣＴ／ＡＵ００／０１２７７、ＰＣＴ／ＡＵ００／０１２８６、ＰＣＴ／ＡＵ００／０１２８１、ＰＣＴ／ＡＵ００／０１２７８、ＰＣＴ／ＡＵ００／０１２８７、ＰＣＴ／ＡＵ００／０１２８５、ＰＣＴ／ＡＵ００／０１２８４、ＰＣＴ／ＡＵ００／０１２８３。
これらの同時係属出願の開示を、参照により本願明細書に引用したものとする。
【０００４】
本発明の出願人または譲受人により、２０００年９月１５日に出願された以下の同時係属出願に、本発明に関連するさまざまな方法、システムおよび機器が開示されている。
ＰＣＴ／ＡＵ００／０１１０８、ＰＣＴ／ＡＵ００／０１１１０、ＰＣＴ／ＡＵ００／０１１１１。
これらの同時係属出願の開示を、参照により本願明細書に引用したものとする。
【０００５】
本発明の出願人または譲受人により、２０００年６月３０日に出願された以下の同時係属出願に、本発明に関連するさまざまな方法、システムおよび機器が開示されている。
ＰＣＴ／ＡＵ００／００７６２、ＰＣＴ／ＡＵ００／００７６３、ＰＣＴ／ＡＵ００／００７６１、ＰＣＴ／ＡＵ００／００７６０、ＰＣＴ／ＡＵ００／００７５９、ＰＣＴ／ＡＵ００／００７５８、ＰＣＴ／ＡＵ００／００７６４、ＰＣＴ／ＡＵ００／００７６５、ＰＣＴ／ＡＵ００／００７６６、ＰＣＴ／ＡＵ００／００７６７、ＰＣＴ／ＡＵ００／００７６８、ＰＣＴ／ＡＵ００／００７７３、ＰＣＴ／ＡＵ００／００７７４、ＰＣＴ／ＡＵ００／００７７５、ＰＣＴ／ＡＵ００／００７７６、ＰＣＴ／ＡＵ００／００７７７、ＰＣＴ／ＡＵ００／００７７０、ＰＣＴ／ＡＵ００／００７６９、ＰＣＴ／ＡＵ００／００７７１、ＰＣＴ／ＡＵ００／００７７２、ＰＣＴ／ＡＵ００／００７５４、ＰＣＴ／ＡＵ００／００７５５、ＰＣＴ／ＡＵ００／００７５６、ＰＣＴ／ＡＵ００／００７５７。
これらの同時係属出願の開示を、参照により本願明細書に引用したものとする。
【０００６】
本発明の出願人または譲受人により、２０００年５月２４日に出願された以下の同時係属出願に、本発明に関連するさまざまな方法、システムおよび機器が開示されている。
ＰＣＴ／ＡＵ００／００５１８、ＰＣＴ／ＡＵ００／００５１９、ＰＣＴ／ＡＵ００／００５２０、ＰＣＴ／ＡＵ００／００５２１、ＰＣＴ／ＡＵ００／００５２２、ＰＣＴ／ＡＵ００／００５２３、ＰＣＴ／ＡＵ００／００５２４、ＰＣＴ／ＡＵ００／００５２５、ＰＣＴ／ＡＵ００／００５２６、ＰＣＴ／ＡＵ００／００５２７、ＰＣＴ／ＡＵ００／００５２８、ＰＣＴ／ＡＵ００／００５２９、ＰＣＴ／ＡＵ００／００５３０、ＰＣＴ／ＡＵ００／００５３１、ＰＣＴ／ＡＵ００／００５３２、ＰＣＴ／ＡＵ００／００５３３、ＰＣＴ／ＡＵ００／００５３４、ＰＣＴ／ＡＵ００／００５３５、ＰＣＴ／ＡＵ００／００５３６、ＰＣＴ／ＡＵ００／００５３７、ＰＣＴ／ＡＵ００／００５３８、ＰＣＴ／ＡＵ００／００５３９、ＰＣＴ／ＡＵ００／００５４０、ＰＣＴ／ＡＵ００／００５４１、ＰＣＴ／ＡＵ００／００５４２、ＰＣＴ／ＡＵ００／００５４３、ＰＣＴ／ＡＵ００／００５４４、ＰＣＴ／ＡＵ００／００５４５、ＰＣＴ／ＡＵ００／００５４７、ＰＣＴ／ＡＵ００／００５４６、ＰＣＴ／ＡＵ００／００５５４、ＰＣＴ／ＡＵ００／００５５６、ＰＣＴ／ＡＵ００／００５５７、ＰＣＴ／ＡＵ００／００５５８、ＰＣＴ／ＡＵ００／００５５９、ＰＣＴ／ＡＵ００／００５６０、ＰＣＴ／ＡＵ００／００５６１、ＰＣＴ／ＡＵ００／００５６２、ＰＣＴ／ＡＵ００／００５６３、ＰＣＴ／ＡＵ００／００５６４、ＰＣＴ／ＡＵ００／００５６５、ＰＣＴ／ＡＵ００／００５６６、ＰＣＴ／ＡＵ００／００５６７、ＰＣＴ／ＡＵ００／００５６８、ＰＣＴ／ＡＵ００／００５６９、ＰＣＴ／ＡＵ００／００５７０、ＰＣＴ／ＡＵ００／００５７１、ＰＣＴ／ＡＵ００／００５７２、ＰＣＴ／ＡＵ００／００５７３、ＰＣＴ／ＡＵ００／００５７４、ＰＣＴ／ＡＵ００／００５７５、ＰＣＴ／ＡＵ００／００５７６、ＰＣＴ／ＡＵ００／００５７７、ＰＣＴ／ＡＵ００／００５７８、ＰＣＴ／ＡＵ００／００５７９、ＰＣＴ／ＡＵ００／００５８１、ＰＣＴ／ＡＵ００／００５８０、ＰＣＴ／ＡＵ００／００５８２、ＰＣＴ／ＡＵ００／００５８７、ＰＣＴ／ＡＵ００／００５８８、ＰＣＴ／ＡＵ００／００５８９、ＰＣＴ／ＡＵ００／００５８３、ＰＣＴ／ＡＵ００／００５９３、ＰＣＴ／ＡＵ００／００５９０、ＰＣＴ／ＡＵ００／００５９１、ＰＣＴ／ＡＵ００／００５９２、ＰＣＴ／ＡＵ００／００５９４、ＰＣＴ／ＡＵ００／００５９５、ＰＣＴ／ＡＵ００／００５９６、ＰＣＴ／ＡＵ００／００５９７、ＰＣＴ／ＡＵ００／００５９８、ＰＣＴ／ＡＵ００／００５１６、ＰＣＴ／ＡＵ００／００５１７、ＰＣＴ／ＡＵ００／００５１１。
これらの同時係属出願の開示を、参照により本願明細書に引用したものとする。
【０００７】
（背景技術）
コンピュータシステムへの入力用に、不可視のものであるが表面に機械読取式に符号化された情報を検出することにより、ペンまたはスタイラス型の機器が表面に対する機器自体の動きを検出するシステムがこれまで開示されてきた。例えば、米国特許第５，４７７，０１２号、同第５，６５２，４１２号、ＰＣＴ特許出願公開第９９／５０７８７号を参照されたい。人が利用するための可視情報は、通常、２種類の情報間の関連の記録を含むものであってよい別々のステップであるが、そのステップにおいて表面上に配置されてもよい。符号化された情報は、可視情報の内容の知識を含んでおらず、ユーザが符号化された情報と相互作用している間、記録された関連を基に、ユーザに与えられるあらゆる内容に関連するフィードバックが提供されなければならない。記録された関連がかけ離れたものか、または利用できなければ、適時のフィードバックを提供できないことがある。
【０００８】
（発明の開示）
第１の態様によれば、本発明により、符号化データの少なくともいくつかが、領域（region）の複数の場所を表し、領域の一部の少なくとも１つの機能的属性を表す第１のデータを含み、第１のデータの値が、領域にあるそれぞれの部分の場所とは独立の（independent of、無関係の）ものであることを特徴とする符号化データを有する、表面の領域が提供される。
機能的属性は、ハイパーリンク、ハイパーテキストリンク、ボタン、描画フィールド、テキストフィールドおよび署名フィールドからなる群の少なくとも１つを表すことが好ましい。
符号化データのいくつかは、場所を表すデータ、アイデンティティ（identity、識別、一致、同一であること）を表すデータ、またはアイデンティティと場所を表すデータを含むものであってよい。
アイデンティティは、領域の場所を表すか、または領域のアイデンティティを表すものであってよい。
【０００９】
第２の態様によれば、本発明により、符号化データの少なくともいくつかが、複数の場所を表し、領域の一部の少なくとも１つの機能的属性を表す第１のデータを含み、第１のデータの値が、領域にあるそれぞれの部分の場所とは独立のものであることを特徴とする、領域の少なくとも一部に符号化データを付与することを含む領域符号化方法が提供される。
機能的属性は、ハイパーリンク、ハイパーテキストリンク、ボタン、描画フィールド、テキストフィールドおよび署名フィールドからなる群の少なくとも１つを表すことが好ましい。
【００１０】
第３の態様によれば、本発明により、符号化データの少なくともいくつかが、領域の複数の場所を表し、領域の一部の少なくとも１つの機能的属性を表す第１のデータを含み、第１のデータの値が、領域にあるそれぞれの部分の場所とは独立のものである符号化データを有する領域とともに使用し、前記第１のデータを検出および反応する検出装置（sensing device、検知装置、感知機器）が提供される。
検出装置が領域の一部の機能的属性を表すデータを検出すると、ユーザに少なくとも１つの指示を与えることが好ましい。
指示は、視覚、聴覚、触知、触覚、振動および任意の他の人の感覚からなる群から選択されることが好ましい。
また、検出装置が、領域の一部の機能的属性を表すデータを検出すると、前記検出データまたは前記検出データを少なくとも部分的に基にしたデータをコンピュータシステムに送信することが好ましい。
【００１１】
第４の態様によれば、本発明により、
コンピュータシステムと、
符号化データの少なくともいくつかが、領域の複数の場所を表し、領域の一部の少なくとも１つの機能的属性を表す第１のデータを含み、第１のデータの値が、領域にあるそれぞれの部分の場所とは独立のものである符号化データを有する領域とともに使用する検出装置とを含み、
検出装置は、前記第１のデータを検出し、前記検出された第１のデータまたは前記検出された第１のデータを少なくとも部分的に基にしたデータをコンピュータシステムに送信し、
コンピュータシステムは、検出された第１のデータの機能的属性に関連する機能を実行するか、またはその機能の実行を開始することを特徴とするシステムが提供される。
コンピュータシステムは、機能的属性が、領域のそれぞれの部分の予測される属性と一致することを検証することが好ましい。
【００１２】
以下、添付の図面を参照しながら、非限定的な例として、本発明の好適かつ他の実施形態を記載する。
【００１３】
（実施形態の詳細な説明）
（注釈：ＭｅｍｊｅｔＴＭは、オーストラリアのＳｉｌｖｅｒｂｒｏｏｋ  Ｒｅｓｅａｒｃｈ  Ｐｔｙ  Ｌｔｄの商標である。）
好適な実施形態において、本発明は、ネットページネットワーク化コンピュータシステムととも機能するように構成され、以下にその要約を記載し、特定の出願ＰＣＴ／ＡＵ００／００５６５、ＰＣＴ／ＡＵ００／００５６１、ＰＣＴ／ＡＵ００／００５６９およびＰＣＴ／ＡＵ００／００５７８を含む本願出願人の同時係属出願に、その詳細な記載がなされている。すべての実施形態が、基本システムに関連して、これらの出願に記載されている特定の詳細および範囲のすべてまたはほとんどを必ずしも具体化しているわけではないことを理解されたい。しかしながら、システムは、本発明の好適な実施形態および態様の動作の内容を理解しやすいように、ほぼ完全な形で記載される。
【００１４】
概要において、ネットページシステムの好適な形態では、マッピングされた表面の形態、すなわち、コンピュータシステムに維持される表面のマップの参照を含む物理的な表面の形態で、コンピュータインタフェースが用いられる。マップ参照は、適切な検出装置により質問され得る。特定の実施形態に応じて、マップ参照は、可視的または不可視的に符号化されてよく、マッピングされた表面上の局所的な質問により、マップ内および異なるマップ間の両方のマップ参照が明白になるように規定されてよい。コンピュータシステムは、マッピングされた表面上の特徴に関する情報を含み、このような情報は、マッピングされた表面とともに用いられる検出装置により供給されるマップ参照に基づいて取り出し得る。したがって、取り出された情報は、オペレータによる表面の特徴との相互作用（interaction、インターアクション）に応答して、オペレータの代わりにコンピュータシステムにより開始される動作の形態をとり得る。
【００１５】
好適な形態において、ネットページシステムは、ネットページの生成とネットページと人との相互作用に依存する。これらは、普通紙または他の媒体に印刷されるが、双方向のウェブページのような働きをするテキスト、グラフィックおよびイメージからなるページである。人の肉眼では実質的に見ることができないインクを用いて、各ページに情報が符号化される。しかしながら、インクおよびインクによる符号化データは、光学イメージングペンにより検出されて、ネットページシステムに送信され得る。
【００１６】
好適な形態において、各ページの能動ボタンとハイパーリンクは、ネットワークから情報を要求したり、ネットワークサーバへ基本設定の信号を送信したりするために、ペンでクリックされ得る。一実施形態において、ネットページに手で書き込まれたテキストが自動的に認識され、ネットページシステムにおいてコンピュータテキストに変換されることで、フォームに必要事項を記入できる。他の実施形態において、ネットページに記録された署名が自動的に検証されることで、セキュリティ上安全に電子商取引を承認できる。
【００１７】
図１に示すように、印刷されたネットページ１が、印刷ページ上に物理的およびペンとネットページシステム間の通信を介して「電子的」に、ユーザによる記入が可能な双方向（interactive、インタラクティブな、対話式の）フォームを表す。この例では、名前およびアドレスフィールドと、提出（submit、サブミット）ボタンとを含む「リクエスト」フォームが示されている。ネットページは、可視インクを用いて印刷されたグラフィックデータ２と、不可視インクを用いてタグ４の集合体として印刷された符号化データ３とからなる。ネットページネットワークに格納された対応するページ記述５は、ネットページの個々の要素を記述する。特に、各双方向要素（interactive element）（すなわち、この例では、テキストフィールドまたはボタン）の種類と空間範囲（ゾーン）が記述されることで、ネットページシステムがネットページを介して入力を正確に読み取ることができる。提出ボタン６は、例えば、対応するグラフィック８の空間範囲に対応するゾーン７を有する。
【００１８】
図２に示すように、本願出願人の同時係属出願ＰＣＴ／ＡＵ００／００５６５に好適な形態が記載されているネットページペン１０１は、自宅用、職場用または移動用にインターネット接続型の印刷機器であるネットページプリンタ６０１と組み合わせて機能する。ペンは、ワイヤレスのもので、短距離無線リンク９を介してネットページプリンタと安全に通信する。
【００１９】
本願出願人の同時係属出願ＰＣＴ／ＡＵ００／００５６１およびＰＣＴ／ＡＵ００／０１２８１に好適な形態が記載されているネットページプリンタ６０１は、個人向けの新聞、雑誌、カタログ、パンフレットおよび他の刊行物を定期的または要求に応じて出力可能であり、すべてのものが双方向ネットページとして高品質に印刷される。パーソナルコンピュータとは違い、ネットページプリンタは、ユーザの台所、朝食用テーブル付近、一日のうち家族が出かける場所の付近など、最初に朝のニュースを消費する場所に隣接して、例えば、壁掛け可能な機器である。また、ネットページプリンタは、テーブルトップ型、デスクトップ型、携帯型および小型のものもある。
【００２０】
消費場所で印刷されたネットページは、紙の使いやすさと、双方向媒体の適時性および双方向性とを兼ね備えたものである。
【００２１】
図２に示すように、ネットページペン１０１は、印刷されたネットページ１にある符号化データと相互作用し、短距離無線リンク９を介して、ネットページプリンタに相互作用を通信する。プリンタ６０１は、解釈を行うための関連するネットページページサーバ１０に相互作用を送信する。適切な状況において、ページサーバは、ネットページアプリケーションサーバ１３で動作するアプリケーションコンピュータソフトウェアに対応するメッセージを送信する。アプリケーションサーバは、発信元であるプリンタで印刷される応答を送信してよい。
【００２２】
例えば、本願出願人の同時係属出願ＰＣＴ／ＡＵ００／００５７８（事件整理番号第ＩＪ５２号）に記載されているように、高速のマイクロ・エレクトロ・メカニカル・システム（ＭＥＭＳ）を用いたインクジェット（ＭｅｍｊｅｔＴＭ）プリンタと組み合わせて用いられることにより、好適な実施形態において、ネットページシステムの利便性が著しく増す。この技術の好適な形態において、消費者が比較的高速かつ高品質の印刷を手に入れやすくなる。好適な形態において、ネットページ刊行物は、ナビゲーションが容易で使い勝手が良いように綴じられた両面フルカラー印刷のレターサイズの光沢ページセットなど、従来の時事雑誌の物理的特徴を備える。
【００２３】
ネットページプリンタは、ブロードバンドインターネットアクセスの利用の増加を利用している。ネットページプリンタは、より低速の接続であるが、より長い送出時間とより低い画質で動作し得る。また、ネットページシステムは、システムの動作がより遅くなるため、消費者側からはあまり受け入れられないが、消費者がすでに所有するインクジェットおよびレーザプリンタを用いて使用可能である。他の実施形態において、ネットページシステムは、プライベートイントラネット上で動作する。さらなる他の実施形態において、ネットページシステムは、単一のコンピュータ、またはプリンタなどのコンピュータ使用可能機器上で動作する。
【００２４】
ネットページネットワーク上のネットページ刊行物サーバ１４は、印字品質の刊行物をネットページプリンタに送出するように構成される。定期刊行物は、ポイントキャスティングおよびマルチキャスティングインターネットプロトコルを介して、加入者のネットページプリンタに自動的に送出される。個人向けの刊行物は、個々のユーザプロファイルに応じて、フィルタリングされフォーマット化される。
【００２５】
１台のネットページプリンタが、数多くのペンをサポートするように構成可能であり、１本のペンが、数多くのネットページプリンタで動作し得る。好適な実施形態において、各ネットページペンは、固有の識別子を備える。家族が色付きのネットページペンの集まりをもち、家族の各人に一本ずつ割り当てられてよい。これにより、各ユーザは、ネットページ刊行物サーバまたはアプリケーションサーバに対して、個々のプロファイルを維持できる。
【００２６】
また、ネットページ登録サーバ１１でネットページペンが登録されて、１以上の支払カード口座にリンクされ得る。これにより、ネットページペンを用いて、セキュリティ上安全に電子商取引の支払を承認できる。ネットページ登録サーバは、ネットページペンで取り込んだ署名と、前もって登録しておいた署名とを比較することで、電子商取引サーバに対してユーザのアイデンティティを認証できる。また、アイデンティティ検証用に、他の生物測定方法が使用され得る。ネットページペンの変形型には、ネットページ登録サーバと同様の方法で検証される指紋スキャニングが含まれる。
【００２７】
ネットページプリンタは、ユーザの介入なしに朝刊などの定期刊行物を送出するものであってよいが、勝手に送られてくるジャンクメールを送出しないように設定し得る。好適な形態において、ネットページプリンタは、加入発信元または他の承認した発信元からの定期刊行物しか送出しない。この点で、ネットページプリンタは、電話番号や電子メールアドレスを知るジャンクメールの送り主に明白なファックス機器や電子メールアカウントとは異なる。
【００２８】
統一モデリング言語（Unified Modeling Language、ＵＭＬ）のクラス図を用いて、システムの各オブジェクトモデルが記述される。クラス図は、関係によりつながりをもつオブジェクトクラスのセットからなり、ここでは、関連および般化という２種類の関係に着目する。関連とは、オブジェクト間、すなわち、クラスのインスタンス間のある種の関係を表すものである。般化とは、実際のクラスを関連付けるもので、以下のように考えられる。すなわち、あるクラスが、そのクラスのすべてのオブジェクトのセットとして考えられ、ＡクラスがＢクラスの般化であれば、ＢクラスはＡクラスのサブセットである、と考えられる。各クラスは、クラス名が付与された長方形として描かれる。これは、水平線でクラス名から引き離されたクラスの属性のリストと、水平線で属性リストから引き離されたクラスの操作のリストとを含む。しかしながら、以下のクラス図では、操作はモデリングされない。２つのクラスが線で結び付けられ、両方に関連の多重度が任意に付与されて、関連が描かれる。多重度のデフォルト値は１である。アスタリスク（＊）は、「多数」、すなわち、０以上の多重度を示すものである。各関連は、関連名が任意に付与され、両方に対応するクラスのロール名も任意に付与される。白抜きのひし形は、集約という関連（「あるものの一部分("is-part-of")」）を示し、関連線の主体側に描かれる。般化という関係（「共通部分("is-a")」）は、２つのクラスを結び付ける実線として、般化側にある矢印（白抜きの三角形）で描かれる。クラス図が複数の図に分かれる場合、重複するクラスは、それを規定する主要な図を除くすべてに破線のアウトラインを用いて示される。それは、規定される場合のみ属性が示される。
【００２９】
ネットページは、ネットページネットワークが構築される基礎である。これらにより、刊行された情報および双方向サービスの紙ベースのユーザインタフェースが与えられる。ネットページは、ページのオンライン記述を参照して不可視的にタグ付けされた印刷されるページ（または他の表面領域）からなる。オンラインページの記述は、ネットページページサーバにより永続的に維持される。ページ記述は、可視のレイアウトと、テキスト、グラフィックおよびイメージを含むページの内容を記述する。また、ページ上には、ボタン、ハイパーリンクおよび入力フィールドを含む入力要素を記述する。ネットページにより、表面上のネットページペンで付けられたマーキングを、ネットページシステムが同時に取り込み処理できる。
【００３０】
複数のネットページが、同じページ記述を共有し得る。しかしながら、それ以外の点では同一である複数のページからの入力を区別できるように、各ページには、固有のページ識別子が割り当てられる。このページＩＤは、非常に多くの数のネットページ間を区別できる精度を有する。
【００３１】
ページ記述の各参照は、印刷されたタグに符号化される。タグは、それが現れる固有のページを識別し、それによりページ記述を間接的に識別する。また、タグは、それ自体のページ上での位置を識別する。以下に、タグの特性を詳細に記載する。
【００３２】
タグは、普通紙など、赤外線反射性のある任意の基体上に赤外線吸収インクで印刷される。近赤外線波長は、人の肉眼では見えないが、適切なフィルタを用いて固体イメージセンサにより容易に検出される。
【００３３】
ネットページペンのエリアイメージセンサによりタグが検出され、タグデータは、最も近い位置にあるネットページプリンタを介してネットページシステムに送信される。ペンは、ワイヤレス式のもので、短距離無線リンクを介してネットページプリンタと通信する。タグは、ペンがページ上を一回クリックするだけで、少なくとも１つのタグを確実にイメージできるように、十分に小さく密に配設される。相互作用がステートレスであるため、ペンは、ページとの相互作用のたびに、ページＩＤと位置を認識することが重要である。タグは、それらが表面の損傷に部分的に耐性のものになるように、エラー修正可能に符号化される。
【００３４】
ネットページページサーバは、各印刷されたネットページの固有のページインスタンスを維持することで、各印刷されたネットページのページ記述に、入力フィールドの識別可能なユーザ供給値セットを維持できる。
【００３５】
図３に、ページ記述と、ページインスタンスと、印刷されたネットページとの間の関係を示す。印刷されたネットページは、印刷されたネットページドキュメント４５の一部であってよい。ページインスタンスは、それを印刷したネットページプリンタと、分かっている場合は、それを要求したネットページユーザの両方と関連する。
【００３６】
好適な形態において、各タグは、それが現れる領域と、その領域内にあるタグの場所とを識別する。また、タグには、概して領域に、またはタグに関係するフラグが含まれてよい。１以上のフラグビットは、例えば、検出装置が領域の記述を参照する必要がなく、タグの接近領域に関連する関数を表すフィードバックを与えるように、タグ検出装置に信号を出すものであってよい。ネットページペンは、例えば、ハイパーリンクのゾーンにあるとき、「アクティブエリア」ＬＥＤを照明してよい。
【００３７】
好適な実施形態において、各タグには、容易に認識される不変構造が含まれ、これにより、初期の検出が促され、表面または検出プロセスにより誘発されるあらゆる歪みの影響が最小限に抑えられる。タグは、ページ全体をタイル張りすることが好ましく、ペンでページ上を一回クリックするだけで、少なくとも１つのタグを確実にイメージできるように、十分に小さく密に配設される。相互作用がステートレスであるため、ペンは、ページとの相互作用のたびに、ページＩＤと位置を認識することが重要である。
【００３８】
好適な実施形態において、タグが参照する領域は、ページ全体と重なるため、タグに符号化された領域ＩＤは、タグが現れるページのページＩＤと同義のものである。他の実施形態において、タグが参照する領域は、ページまたは他の表面の任意の小区域であり得る。例えば、領域は、双方向要素のゾーンと重なり、その場合、領域ＩＤは、双方向要素を直接識別し得る。
【００３９】
各タグには、通常、１６ビットのタグＩＤ、少なくとも９０ビットの領域ＩＤおよび多数のフラグビットが含まれる。最大タグ密度が平方インチ当たり６４とすると、１６ビットのタグＩＤが、最大１０２４平方インチの領域サイズをサポートする。隣接する領域およびマップを使用するだけで、タグＩＤの精度を増すことなく、より大きな領域を継続してマッピングし得る。領域ＩＤとタグＩＤの違いは便宜上のものがほとんどである。ほとんどの目的に合わせて、２つの連結は、グローバル固有タグＩＤとして考えられる。逆に、これは、例えば、タグのｘ軸とｙ軸を規定するために、構造をタグＩＤに導入することが便利なこともある。９０ビットの領域ＩＤにより、２９０（〜１０２７または１ハーピ(a thousand trillion trillion）の異なる領域を独自に識別できる。また、タグは、タイプ情報を含んでよく、タグタイプの混合で領域がタグ付けされてよい。例えば、ｘ軸を符号化する一つのタグセットと、それでインタリーブされたｙ軸を符号化する別のセットで、領域がタグ付けされてよい。
【００４０】
一実施形態において、（１５，５）リード・ソロモン符号を用いて、１２０ビットのタグデータが冗長符号化される。これにより、１５個の各４ビットシンボルの６コードワードからなる３６０の符号化ビットが得られる。（１５，５）符号により、コードワード当たり最大５つのシンボルエラーを訂正でき、すなわち、コードワード当たり最大３３％のシンボルエラー率の耐性である。各４ビットシンボルは、タグに空間的にコヒーレントに表され、６コードワードのシンボルは、タグ内に空間的にインタリーブされる。これにより、バーストエラー（複数の空間的に隣接するビットに影響を与えるエラー）がダメージを与えるシンボル数を最小限に抑え、さらに、ダメージを与える任意の１つのコードワードのシンボル数を最小限に抑えることにより、バーストエラーを完全に訂正できる可能性を最大にできる。
【００４１】
（１５，５）リード・ソロモン符号の代わりに、任意の適切なエラー訂正符号が使用可能であり、例えば、それよりも多い冗長または少ない冗長をもち、同じまたは異なるシンボルとコードワードサイズをもつリード・ソロモン符号、別のブロック符号、または畳み込み符号などの異なる種類の符号である（例えば、Ｓｔｅｐｈｅｎ  Ｂ．Ｗｉｃｋｅｒ、Ｅｒｒｏｒ  Ｃｏｎｔｒｏｌ  Ｓｙｓｔｅｍｓ  ｆｏｒ  Ｄｉｇｉｔａｌ  Ｃｏｍｍｕｎｉｃａｔｉｏｎ  ａｎｄ  Ｓｔｏｒａｇｅ、Ｐｒｅｎｔｉｃｅ−Ｈａｌｌ  １９５５、その内容全体を参照により本願明細書に引用したものとする）。
【００４２】
図４ａに示し、本願出願人の同時継続出願ＰＣＴ／ＡＵ００／００５６９に記載されるタグの物理的表現の一実施形態は、固定ターゲット構造１５、１６、１７と、可変データ領域１とを含む。固定ターゲット構造により、ネットページペンなどの検出装置が、タグを検出し、センサに対する３次元配向を推測できる。データ領域は、符号化されたタグデータの個々のビットの表現を含む。そのサイズを最大にするために、各データビットは、２本の半径方向の線と２つの同心円弧で境界をつけた領域の形をした半径方向の楔で表される。各楔は、１６００ｄｐｉで８ドットの最小寸法をもち、その基部（内側の弧）が、この最小寸法と少なくとも等しくなるようにされる。半径方向の楔の高さは、常に最小寸法と等しい。各４ビットデータシンボルは、２×２楔のアレイで表される。６コードワードのそれぞれの１５個の４ビットデータシンボルは、インタリーブされて４つの同心のシンボルリング１８ａ〜１８ｄに割り当てられる。シンボルは、タグの周りを円形に進んで交互に割り当てられる。インタリーブは、同じコードワードの任意の２つのシンボル間の平均空間距離を最大にするようにされる。
【００４３】
検出装置を介してタグ付けされた領域との「シングルクリック」での相互作用をサポートするために、検出装置は、少なくともタグ全体を、領域のどの場所にあろうとも、それが配置されている向きがどの向きであろうとも、その視野内に見ることができなければならない。したがって、検出装置の視野の要求される直径は、タグのサイズと空間に応じる。図４ｂに示すように、タグの形状が円形の場合、検出装置の視野１９３の最小直径は、タグが等辺三角形グリッド上にタイル張りされるときに得られる。
【００４４】
図６に、ネットページペンなどの検出装置が実行するタグイメージの処理および復号方法が示されている。イメージセンサから取り込み画像を獲得している間、イメージのダイナミックレンジは、（２０で）決定される。次に、レンジの中心は、イメージ２１の二成分しきい値として選択される。その後、イメージは、しきい値にかけられ、（２２で）接続したピクセル領域（すなわち、形状２３）に分割される。非常に小さいためタグターゲット構造を表すことができない形状は破棄される。各形状のサイズと重心も計算される。
【００４５】
次に、各形状に対して、二成分形状モーメント２５が（２４で）計算され、これらにより、ターゲット構造を引き続き位置決めするための基礎が与えられる。中心形状モーメントは、本質的に位置が不変であり、スケール、アスペクト比および回転が容易に不変になり得る。
【００４６】
リングターゲット構造１５は、（２６で）最初に位置決めすべきものである。リングには、見込み歪みがある場合に非常にうまく挙動するという利点がある。各形状のモーメントをアスペクト正規化および回転正規化することにより、整合が実行される。二次モーメントが正規化されると、見込み歪みが著しい場合でも、リングを容易に認識することができる。リングの元のアスペクトと回転２７の両方により、見込み変換の有益な近似が与えられる。
【００４７】
軸ターゲット構造１６は、（２８で）次に位置決めすべきものである。各形状のモーメントにリングの正規化を適用し、その結果得られたモーメントを回転正規化することにより、整合が実行される。一旦、二次モーメントが正規化されると、軸ターゲットは容易に認識される。２つの軸の可能性のある配向を明白にするには、１つの三次モーメントが必要となることに留意されたい。形状は、これを実現するために、一方側に故意に歪められている。また、見込み歪みが軸ターゲットの軸を隠す可能性があるため、リングの正規化が適用された後しか、軸ターゲットを回転正規化することができないことに留意されたい。軸ターゲットの元の回転により、ペン先の揺れ２９によるタグの回転の有益な近似が与えられる。
【００４８】
４つの見込みターゲット構造１７は、（３０で）最後に位置決めすべきものである。これらの位置の良好な推定値が、リングと軸ターゲット、リングのアスペクトと回転、および軸の回転の既知の空間的な関係を基に計算される。各形状のモーメントにリングの正規化を適用することにより、整合が実行される。二次モーメントが正規化されると、円形の見込みターゲットを認識しやすく、各推定位置に最も近いターゲットを整合するものとしてとらえる。次に、４つの見込みターゲットの元の重心は、タグ空間にある既知のサイズの正方形の見込み歪みのある角３１になるようにされ、８自由度見込み変換３３が、４つのタグ空間とイメージ空間の点の対に関する公知の等式を解くことにより（３２で）推測される。（Ｈｅｃｋｂｅｒｔ，Ｐ．、Ｆｕｎｄａｍｅｎｔａｌｓ  ｏｆ  Ｔｅｘｔｕｒｅ  Ｍａｐｐｉｎｇ  ａｎｄ  Ｉｍａｇｅ  Ｗａｒｐｉｎｇ、Ｍａｓｔｅｒｓ  Ｔｈｅｓｉｓ、Ｄｅｐｔ．ｏｆ  ＥＥＣＳ、Ｕ  ｏｆ  Ｃａｌｉｆｏｒｎｉａ  ａｔ  Ｂｅｒｋｅｌｅｙ、Ｔｅｃｈｎｉｃａｌ  Ｒｅｐｏｒｔ  Ｎｏ．ＵＣＢ／ＣＳＤ  ８９／５１６、Ｊｕｎｅ  １９８９を参照されたい。この内容全体を、参照により本願明細書に引用したものとする。）
【００４９】
推測されるタグ空間からイメージ空間への見込み変換は、イメージ空間にタグ空間にある各既知のデータビット位置を（３６で）投影するために使用され、そこでは、入力イメージにある４つの関連する隣接ピクセルを（３６で）双一次補間するために実数値の位置が使用される。前もって計算されたイメージしきい値２１は、最終的にビット値３７を出すために、その結果にしきい値を適用するために使用される。
【００５０】
このようにして、すべての３６０データビット３７が得られると、６つの６０ビットのリード・ソロモンコードワードのそれぞれが（３８で）復号されて、２０復号ビット３９が生じ、全部で１２０復号ビットが生じる。コードワードシンボルは、コードワード順にサンプリングされるため、コードワードは、サンプリングプロセス中、暗黙的にデインタリーブされる。
【００５１】
リングターゲット１５は、リングが見つけられると、それが完全なタグの一部であると保証されるイメージとの関係をもつイメージのサブエリアでのみ捜し求められる。完全なタグが見つけられず、無事に復号されていれば、現在のフレームに対してペンの位置は記録されない。十分な処理能力と理想的には最小のものではない視野１９３が与えられたとすると、代替的な手法として、現在のイメージにある別のタグを求めることが挙げられる。
【００５２】
獲得したタグデータは、タグを含む領域のアイデンティティと領域内のタグの位置を示す。領域内のペン先の正確な位置３５と、ペンの全配向３５が、タグで観察される見込み変換３３と、ペンの物理軸とペンの光軸との既知の空間関係から（３４で）推測される。
【００５３】
上述したタグ構造は、平面の長方形タイル張りと、非平面の不揃いのタイル張りの両方を可能にするようにデザインされる。一般的に、非平面上では、規則的なタイル張りは不可能である。タグの規則的なタイル張りが可能な平面、すなわち、紙などの表面のより一般的な場合、タイル張りの規則的な特性を生かしたより効率的なタグ構造を使用することができる。
【００５４】
図５ａに、規則的なタイル張りにより適した代替的なタグ構造が示されている。タグ４は、正方形であり、４つの見込みターゲット１７を有する。これは、Ｂｅｎｎｅｔ等の米国特許第５，０５１，７４６号に記載されているタグの構造に類似している。タグは、６０個の４ビットリード・ソロモンシンボル４７を表し、全部で２４０ビットとなる。タグは、各１ビットをドット４８で表し、対応するドットがないことにより各０ビットを表す。図５ｂおよび図５ｃに示すように、見込みターゲットは、隣接するターゲット間で共有されるようにデザインされる。図５ｂは、１６個のタグの正方形のタイル張りと、対応する最小視野１９３を示し、これは、２つのタグの対角線に及ぶものでなければならない。図５ｃは、例示的な目的で、すべて１ビットを含む９個のタグの正方形タイル張りを示す。
【００５５】
（１５，７）リード・ソロモン符号を使用すると、１１２ビットのタグデータが冗長符号化されて、２４０符号ビットを生成する。４つのコードワードは、タグ内で空間的にインタリーブされて、バーストエラーに対する復元力が最大になる。上述のように、タグＩＤが１６ビットとすると、これにより、最大９２ビットの領域ＩＤが可能となる。タグのデータ保持ドット４８は、それら隣接部と重なり合わないようにデザインされるため、タグのグループは、ターゲットと類似した構造を作ることができない。これによりインクも節約される。したがって、見込みターゲットによりタグを検出できるため、さらなるターゲットが不要である。ステップ２６および２８を省略する点以外は上述したように、タグイメージの処理が実行される。
【００５６】
センサに対するタグの４つの可能性のある配向を明白にできるように、タグが配向の特徴を含んでいることがあるが、タグデータに配向データを埋め込むことも可能である。例えば、４つのコードワードは、図５ｄに示すように、各タグ配向がその配向に置かれた１コードワードを含むように配設され、そこでは、各シンボルに、そのコードワードの番号（１〜４）が付与され、コードワード内のシンボルの位置（Ａ〜Ｏ）が付与される。次に、タグの復号は、各配向で１つのコードワードを復号することからなる。各コードワードは、それが第１のコードワードであるかを示す１ビットか、またはそれがどのコードワードであるかを示す２ビットかのいずれかを含み得る。後者のアプローチでは、例えば、１つのコードワードのみのデータ内容が必要とされる場合、所望のデータを獲得するために、多くても２つのコードワードを復号すればよいという利点がある。これは、領域ＩＤが、１ストローク内で変わることが予想されない場合であり、ストロークの開始時に復号されるのみである。ストローク内では、タグＩＤを含むコードワードのみが望まれる。さらに、検出装置の回転は、ストローク内でゆっくりと予想通りに変わるため、通常、１つのコードワードのみがフレーム当たりの復号に必要とされる。
【００５７】
見込みターゲットをすべて省き、その代わりに、自己登録しているデータ表示に依存することが可能である。この場合、各ビット値（またはマルチビット値）は、通常、明白なシンボルで表され、すなわち、どのビット値も、シンボルがないことで表されることはない。これにより、データグリッドが良好にポピュレートされるため、グリッドを確実に識別でき、その見込み歪みを検出して、引き続き、データサンプリング中に訂正できる。タグの境界を検出できるように、各タグデータは、マーカーパターンを含まなければならず、これらは、確実な検出を行うことができるように冗長符号化されなければならない。このようなマーカーパターンのオーバーヘッドは、明白な見込みターゲットのオーバーヘッドに類似している。このような手法の一つでは、異なる記号および異なるマルチビット値を表すように、グリッドの頂点に対するさまざまな点に配置されたドットが使用される（Ａｎｏｔｏ  Ｔｅｃｈｎｏｌｏｇｙ  Ｄｅｓｃｒｉｐｔｉｏｎ、Ａｎｏｔｏ  Ａｐｒｉｌ  ２０００を参照されたい）。
【００５８】
タグを復号することにより、領域ＩＤと、タグＩＤと、タグに対応するペンの変換が得られる。タグＩＤとタグに対応するペンの場所が、タグ付けされた領域内の絶対位置内に変形される前に、領域内のタグの場所を知る必要がある。これは、タグ付けされた領域の各タグＩＤを対応する場所にマッピングする機能であるタグマップにより与えられる。タグマップは、タグで表面領域をタイル張りするために使用される手法を反映したもので、これは、表面のタイプによってさまざまなものとなり得る。複数のタグ付けされた領域が、同じタイル張り手法と、同じタグ番号付け手法を共有する場合、それらは、同じタグマップも共有することになり得る。ある領域のタグマップは、領域ＩＤを介して引き出し可能でなければならない。したがって、領域ＩＤ、タグＩＤおよびペン変換が与えられたとすると、タグマップの引き出しが可能であり、タグＩＤは、領域内の絶対タグ場所に変形され、タグ場所に、タグに対するペンの場所が追加されて、領域内の絶対的なペンの場所を生じさせることができる。
【００５９】
タグＩＤは、タグマップにより変形しやすい構造をもつものもであってよい。これは、例えば、それが現れる表面のタイプに応じて、デカルト座標または極座標で符号化されてよい。タグＩＤ構造は、タグマップにより要求され知られるため、異なるタグマップに関連するタグＩＤは、異なる構造をもつことがある。
【００６０】
２つの明確な表面符合手法に着目し、その両方で、このセクションで上述したタグ構造を使用する。好適な符号手法は、上述したように、「場所表示」タグを使用する。代替的な符号手法は、「オブジェクト表示」（または「ファンクション表示」）タグを使用する。
【００６１】
場所表示タグは、タグ付けされた領域に関連するタグマップにより変形された場合、領域内の固有のタグ場所を生じるタグＩＤを含む。ペンのタグに対応する場所が、このタグ場所に付加されて、領域内のペンの場所を生じる。これは、領域と関連するページ記述にあるユーザインタフェース要素に対するペンの場所を求めるために使用される。ユーザインタフェース要素自体が識別されるだけでなく、ユーザインタフェース要素に対する場所も識別される。したがって、場所表示タグは、特定のユーザインタフェース要素のゾーンにおいて絶対的なペン経路の取り込みをサポートするにすぎない。
【００６２】
オブジェクト表示（またはファンクション表示）タグは、領域と関連するページ記述にあるユーザインタフェース要素（言い換えれば、ファンクション）を直接識別するタグＩＤを含む。ユーザインタフェース要素のゾーンにあるすべてのタグが、ユーザインタフェース要素を識別し、それらをすべて同一のものにするため、識別ができない。したがって、オブジェクト表示タグは、絶対的なペン経路の取り込みをサポートしない。しかしながら、それらは、相対的なペン経路の取り込みをサポートする。位置のサンプリング周波数が、発生するタグ周波数の２倍を超えるかぎり、ストローク内で、１つのサンプリングされたペンの位置から次の位置への移動を明白に求めることができる。代替的に、本願出願人の同時継続出願ＰＣＴ／ＡＵ００／００５６５に記載されているように、ネットページペン１０１は、一対の動き検出加速度計を含むものであってよい。
【００６３】
以下に、機能的な属性を符号化するタグの形をした本発明の実施形態が記載される。
【００６４】
タグには、概して領域に、またはタグに関係するフラグが含まれてよい。
【００６５】
１以上のフラグビットは、例えば、検出装置が領域の記述を参照する必要がなく、タグの接近領域に関連する関数を表すフィードバックを与えるように、タグ検出装置に信号を出すものであってよい。
【００６６】
タグには、タグ付近にある特定の小領域が、ハイパーリンクのゾーン（例えば、図１の「提出」ボタンのゾーン７）または他のアクティブページ要素にあるかを示す、１以上の「アクティブエリア」ビットが含まれる。検出装置は、例えば、特定のセットビットに対応する小領域に検出装置が位置すると、常に、「アクティブエリア」ＬＥＤを照明することにより、ユーザにフィードバックを与えてよい。検出装置は、ユーザが小領域でクリックしたとき、クリックが「アクティブ」小領域に位置したことを示すために、さらにフィードバックを与えてよい。これにより、ユーザがオフラインで動作していても、ハイパーリンク上のクリックが成功したことをユーザが確認できる。対応するディジタルインク入力を最終的に処理するページサーバは、クリックが取り込まれたときに肯定的なフィードバックをユーザが受け取ったことを知ることができるため、クリックとハイパーリンクのゾーンの正確な定義との間のヒットテストが失敗したとしても、確実にクリックは成功する。ページサーバは、ページ記述を参照して、ディジタルインク位置のサンプルから、ユーザが受け取ったであろうフィードバックを推定し得る。この代わりとして、各位置サンプルは、実際に遭遇した対応する「アクティブエリア」ビット値を含み得る。
【００６７】
また、「アクティブエリア」でのクリックや、それとの相互作用が、ネットワークと接続するように移動式の検出装置および／または基地局に信号を出すことができることで、適時にクリックまたは相互作用を取り扱うことができる。
【００６８】
また、タグには、タグ近辺の特定の小領域が署名フィールドのゾーンにあることを示す１以上の「署名エリア」ビットが含まれてよい。検出装置は、例えば、特定のセットビットに対応する小領域に検出装置が位置すると、常に、「署名エリア」ＬＥＤを照明することにより、ユーザにフィードバックを与えてよい。これにより、システムにより署名が故意に取り込まれているというフィードバックをユーザに与えることができる。これを基にして、ユーザは、フィードバックを本物の署名フィールドに関連付けることができるようになり、それにより、署名フィールドであるとされているものの、適切なフィードバックを生じさせることができないフィールドを信用しないようになる。このようなフィードバックがないと、署名フィールドとして成り済ました描画フィールドを介してユーザの署名を盗むために、「トロイの木馬」が使用される可能性がある。描画フィールドのタグに偽の「署名エリア」ビットが含まれないように、ビットは、システムにより自動的に発生される。しかしながら、偽のページが上手く使用されないように、各位置サンプルは、実際に遭遇した対応する「署名エリア」ビット値を含むことが理想的である。ページサーバが、予期せぬ「署名エリア」ビットを受け取れば、その偽りを報告でき、少なくとも、ディジタルインクがアプリケーションに転送されない本物の署名として入力を取り扱うことができるが、その代わり、ユーザのアイデンティティを検証し、フォームの内容のディジタル署名を発生させる基準として使用される。
【００６９】
また、待ち時間がより長くなろうとも、単にページ記述を基にして、タグに埋め込まれた機能的なエリアビットがない場合、「署名エリア」フィードバックが設けられ得ることは言うまでもない。
【００７０】
タグは、通常、数ミリメートルの直径をもつ。したがって、タグの分解能で機能エリア（例えば、アクティブエリアおよび署名エリア）を規定することは、理想的でないことがある。これを解消するために、タグ内にある多数のフラグビットが、特定の機能エリアを定義するためのものであってよく、各フラグビットは、タグ近辺の小領域に対応する。このようなフラグビットのグループが、構成が対応する小領域の空間構成に対応するビットマップを規定し得る。少領域は、通常、タグのエリアを完全にタイル張りするため、タグのエリアの任意の小領域は、機能エリアに含まれる。さらなる再分割係数をｎとすると、すなわち、正方形のタグがｎ×ｎの小領域でタイル張りされると、ｎ２ビットのビットマップが必要となる。
【００７１】
検出装置の視野は、完全なタグが、検出装置の許容傾斜レンジにのみの影響下にある表面上の任意の位置で確実に取り込まれるようにデザインされる。したがって、視野の中心は、完全なタグ内にある。さらに、視野は、２以上の完全なタグが任意の特定の位置で確実にイメージされるようにデザインされない。ペン先が少なくともタグの直径だけ光軸からずれているため、すなわち、それがタグを覆い隠さないようにずれているため、その位置がイメージされる完全なタグの外側に存在し得る。
【００７２】
ペン先が視野の中心からずれている結果、タグ内にある任意の機能エリアのビットマップが、タグのエリアよりも大きなエリアに及ぶ。
【００７３】
ペン先のずれがＳで、ペンの傾斜がθであれば、ペンが傾斜したときのずれは、以下の式で表される。
Ｓ’＝Ｓ／ｃｏｓθ
【００７４】
本願出願人の同時継続出願ＰＣＴ／ＡＵ００／００５６９に記載されているように、傾きが大きくなると、ペン先のずれも大きくなり、最大ピッチ誘導傾斜が４８度であるため、最大のペン先のずれは、以下の式で表される。
Ｓ’＝３Ｓ／２
【００７５】
タグ直径がｋであり、ペン先のずれＳが最小、すなわち、タグの直径に等しければ、最大のペン先のずれは以下の式で近似値が得られる。
Ｓ’＝３ｋ／２
【００７６】
この推定に基づき、視野（ＦＯＶ）の中心とペン先がまたがるタグ（またはタグの小領域）の最大数は、正方形のタグアレイに対して中心からペン先へのベクトルのさまざまな配列を考慮することにより分析され得る。
【００７７】
図において、ＦＯＶは、適切な直径の円として示され、小さな白抜きの円はその中心を表す。ＦＯＶの中心を含むアクティブタグは、輪郭が厚みのある正方形として示される。他の関連したタグは、輪郭が薄い正方形として示される。ペン先の位置は、中実の円として示される。傾斜がゼロの図において、中心からペン先までの分離は、タグの直径と同じであるのに対して、傾斜が最大の図において、中心からペン先までの分離は上述したものである。ＦＯＶの中心は、中心からペン先へのベクトルがまたがるタグの数を最大にする位置に常に示される。ペン先があるタグは、４つの小領域で示される。
【００７８】
図６ａに示すように、中心からペン先へのベクトルが、タグに対角線状に配設され、ペンの傾きがゼロの場合、ペン先は、アクティブタグに対角線状隣接したタグにある。図６ｂに示すように、ペンの傾きが最大の場合、ペン先は、さらなる対角線状に隣接したタグにある。ＦＯＶのサイズが極めてゆっくり大きくなる間、中心からペン先までの分離が傾斜とともに急速に大きくなるため、アクティブタグとペン先があるタグとの間にあるタグは、別のアクティブタグを与えることができる程度に早くＦＯＶに入らない。
【００７９】
図６ｃに示すように、中心からペン先までのベクトルが、タグへ非対角線状に配設され、ペン先の傾きがゼロの場合、ペン先は、アクティブタグに対角線状隣接したタグを越えたタグにある。図６ｄに示すように、ペン先の傾きが最大の場合、ペン先は、同じタグにあるが、異なる小領域にある。
【００８０】
図６ｅに示すように、中心からペン先までのベクトルがタグに平行に配設され、ペンの傾きがゼロの場合、ペン先は、アクティブタグを２つのタグ分越えたタグにある。図６ｆに示すように、ペンの傾きが最大の場合、ペン先は、アクティブ領域を３つのタグ分越えたタグにある。しかしながら、この場合、図６ｅおよび図６ｆの両方に示すように、アクティブタグに隣接したタグにより、別のアクティブタグが与えられる。
【００８１】
図７ａは、１つのタグ当たり１つの小領域がある場合の機能エリアビットマップの結果の範囲を示す。これは、２５ビットの必要メモリを有する。図７ｂは、１つのタグ当たり４つの小領域がある場合の機能エリアビットマップの範囲を示す。これは、９６ビットの必要メモリを有する。
【００８２】
一般的に、機能エリアビットマップにある１ビットは、タグの小領域を表す必要はなく、小領域は必ずしも重なり合わないものである必要もない。これは、機能エリアの意味と、制御するために使用される挙動とにある程度依存する。例えば、「アクティブエリア」機能エリアが、適時に入力を取り扱うことができるように、ネットワークに接続すべきであることを移動式の検出装置および／または基地局に示すために使用される場合、マッピングが含まれるかぎり、機能エリアが正確にマッピングされる必要がない。特定のタグがアクティブである（すなわち、ＦＯＶの中心を含む）場合、ペン先が「アクティブエリア」に位置することができるかを示すために、１つのタグ当たりに１ビットが使用可能である。この場合、前述した記載に従って、「小領域」は、タグを中心とした半径２Ｓの円形である。２ビット以上は、複数の小領域を規定するために、１タグ当たりに使用可能であることは明らかである。
【００８３】
機能エリアビットマップのサイズは、１タグ当たりの小領域の数を最小にすることにより、最小限に抑えられることは明らかである。また、それは、ペンの許容傾斜レンジを制限することによっても最小限に抑えられる。逆に、ペン先のずれが大きくなれば、ビットマップのサイズは大きくなることがある。
【００８４】
アクティブエリアおよび署名エリアなどの機能エリアに基づいたフィードバックは、基地局を介してペンにページサーバにより与えられるページ記述の情報に基づいて、ペンにより与えられてもよいことは言うまでもない。このルートは待ち時間がより長くなり、ペンがオフラインのとき機能しないが、潜在的に不十分なタグデータビットを消費しないという利点がある。
【００８５】
好適な実施形態および多数の特定の代替実施形態を参照して、本発明を記載してきた。しかしながら、詳細に上述したものとは異なる多数の他の実施形態が、本発明の趣旨および範囲内のものであることは、当業者に理解されよう。したがって、本発明は、適切に参照により引用された文献を含む本願明細書に記載された特定の実施形態に限定されるものではないことを理解されたい。本発明の範囲は、特許請求の範囲によりのみ限定される。
【図面の簡単な説明】
【図１】  サンプルの印刷されたネットページと、そのオンラインページ記述との関係の略図である。
【図２】  ネットページコードセンサペンアタッチメントが取り付けられたと、ネットページプリンタと、ネットページサーバと、ネットページアプリケーションサーバとの間での相互作用の略図である。
【図３】  印刷されたネットページと、そのオンラインページ記述のハイレベル構造の略図である。
【図４ａ】  ネットページタグの構造を示す平面図である。
【図４ｂ】  図４ａに示すタグセットと、ネットページ検出装置の視野との関係を示す平面図である。
【図５ａ】  ネットページタグの代替構造を示す平面図である。
【図５ｂ】  図５ａに示すタグセットと、ネットページ検出装置の視野との関係を示す平面図である。
【図５ｃ】  隣接するタグ間でターゲットが共有される図５ａに示す９つのタグの配置を示す平面図である。
【図５ｄ】  図５ａに示すタグの４つのコードワードのシンボルのインタリービングおよび回転を示す平面図である。
【図６ａ】  傾斜ゼロでのペン先と検出装置視野とのタグ対角関係を示す略図である。
【図６ｂ】  最大傾斜でのペン先と検出装置視野とのタグ対角関係を示す略図である。
【図６ｃ】  傾斜ゼロでのペン先と検出装置視野とのタグ対角外関係を示す略図である。
【図６ｄ】  最大傾斜でのペン先と検出装置視野とのタグ対角外関係を示す略図である。
【図６ｅ】  傾斜ゼロでのペン先と検出装置視野とのタグ平行関係を示す略図である。
【図６ｆ】  最大傾斜でのペン先と検出装置視野とのタグ平行関係を示す略図である。
【図７ａ】  機能領域ビットマップが及ぶタグセットを示す略図である。
【図７ｂ】  機能領域ビットマップが及ぶ小区域セットを示す略図である。
【図１】
0004713806.tif 000002
【図２】
0004713806.tif 000003
【図３】
0004713806.tif 000004
【図４ａ】
0004713806.tif 000005
【図４ｂ】
0004713806.tif 000006
【図５ａ】
0004713806.tif 000007
【図５ｂ】
0004713806.tif 000008
【図５ｃ】
0004713806.tif 000009
【図５ｄ】
0004713806.tif 000010
【図６ａ】
0004713806.tif 000011
【図６ｂ】
0004713806.tif 000012
【図６ｃ】
0004713806.tif 000013
【図６ｄ】
0004713806.tif 000014
【図６ｅ】
0004713806.tif 000015
【図６ｆ】
0004713806.tif 000016
【図７ａ】
0004713806.tif 000017
【図７ｂ】
0004713806.tif 000018